(57)【要約】【課題】  知覚可能な位置確認構造を有する電子装置を提供する。【解決手段】  電子装置は、フェースプレート面を有するフェースプレートと、ユーザにコンテンツを供給するフェースプレート面における又は付近のディスプレイを含むことが可能である。電子装置はさらに、ユーザからの入力を受け取るディスプレイに近接する入力装置を含むことが可能である。電子装置はさらに、フェースプレートにより担持され、入力装置に対し固定相対位置に位置付けられる知覚可能な位置確認構造を含む。知覚可能な位置確認構造は、接触を介して入力装置に対する位置フィードバックをユーザに供給するよう構成される。【選択図】なし【特許請求の範囲】
【請求項１】
一のフェースプレート面を有する一のフェースプレートと、
一のユーザにコンテンツを供給する、前記フェースプレート面における又は付近の一のディスプレイと、
前記ユーザからの入力を受け取る、前記ディスプレイに近接する一の入力装置と、
前記フェースプレートにより担持され、前記入力装置に対し一の固定相対位置に位置付けられる一の知覚可能な位置確認構造と、
を含み、
前記知覚可能な位置確認構造は、接触を介して前記入力装置に対する位置フィードバックを前記ユーザに供給するよう構成される、移動通信装置。
【請求項２】
前記知覚可能な位置確認構造は、前記入力装置に対する長手位置フィードバックを前記ユーザに供給するよう構成される一のメイン要素を含む請求項１に記載の移動通信装置。
【請求項３】
一の光源をさらに含み、
前記メイン要素は、前記フェースプレート面における一の溝と、前記溝において位置付けられる一の透明部とを含み、
前記光源は、前記透明部を介して前記知覚可能な位置確認構造を照明するよう前記フェースプレートの下に位置付けられる、請求項２に記載の移動通信装置。
【請求項４】
前記知覚可能な位置確認構造は、前記メイン要素において又は付近に位置付けられる複数のガイド要素をさらに含み、
２つの隣接するガイド要素間の一の距離は、前記メイン要素に沿って変化する、請求項２に記載の移動通信装置。
【請求項５】
一の表面を有する一の筐体と、
前記筐体により共に担持される一のディスプレイ及び一の入力装置と、
前記ディスプレイ及び前記入力装置に対し一の固定位置における一の知覚可能な位置確認構造と、
を含み、
前記ディスプレイは、前記入力装置の付近にあり、
前記知覚可能な位置確認構造は、前記筐体の前記表面において一の不連続部を有し、
前記不連続部は、前記表面を一の第１の表面部と一の第２の表面部に分割する、電子装置。
【請求項６】
前記第１の表面部及び前記第２の表面部のうち少なくとも１つと、前記不連続部は、一の略連続的曲面を形成する、請求項５に記載の電子装置。
【請求項７】
一のフェースプレート及び前記フェースプレートにおける一の知覚可能な位置確認構造を有する一の電子装置を操作する方法であって、
一の指を前記フェースプレート全面で動かすことと、
前記フェースプレートにおける前記知覚可能な位置確認構造を感知することと、
前記電子装置の一の入力装置に対する前記指の一の位置を、前記入力装置に対する前記知覚可能な位置確認構造の一の位置に基づいて特定することと、
前記特定された相対位置に基づいて前記入力装置に向けて前記指を動かすことと、
を含む方法。
【請求項８】
前記知覚可能な位置確認構造は、前記フェースプレートにおける一の不連続部を含み、
前記知覚可能な位置確認構造を感知することは、前記フェースプレートにおける前記不連続部を認識することを含む、請求項７に記載の方法。
【請求項９】
前記フェースプレートは、一の曲線フェースプレート面を有し、
前記方法はさらに、
前記フェースプレートにおける一の曲率変化を感知することと、
前記感知された曲率に基づいて前記指の一の位置を決定することと、
を含む、請求項７に記載の方法。
【請求項１０】
一のフェースプレート面と、
一のディスプレイを受容するための一の第１のフェースプレート部と、
前記第１のフェースプレート部に近接し、ユーザからの入力を受け取るよう構成される一の入力装置を受容するための一の第２のフェースプレート部と、
前記フェースプレート面において、前記第１のフェースプレート部と前記第２のフェースプレート部との間に位置付けられる一の知覚可能な位置確認構造と、
を含み、
前記知覚可能な位置確認構造は、接触を介して前記入力装置に対する位置フィードバックを前記ユーザに供給するよう構成される、一の移動通信装置用のフェースプレート。
【発明の詳細な説明】
【技術分野】
【０００１】
本開示は、知覚可能な位置確認構造を有する電子装置に関する。特に、本開示の特徴は、知覚可能な位置確認構造を有する移動通信及び／または計算装置に関する。
【背景技術】
【０００２】
今日の移動通信／計算装置は一般的に、ユーザに対し情報を出力するディスプレイと、ユーザからの応答を収集するキーボード／キーパッドを含む。今日の移動通信／計算装置に関連付けられる１つの欠点は、応答を入力するためにキーボード／キーパッドを操作する際にユーザの視線はディスプレイから離さなければならないことである。その結果、ユーザは一般的に、ディスプレイとキーボード／キーパッドとの間で焦点を繰り返し切り替えなければならない。このような繰り返しは、移動通信／計算装置の操作の全体的な経験及び満足度を損なう可能性がある。したがって、移動通信／計算装置の使い勝手のよさを全体的に改善する必要がある。
【発明の開示】
【発明が解決しようとする課題】
【０００３】
したがって、本発明は、知覚可能な位置確認構造を有する電子装置と関連付けられる方法を提供することを目的とする。ユーザが移動通信／計算装置を操作すると、その移動通信／計算装置の使い勝手のよさは全体的に改善される。
【課題を解決するための手段】
【０００４】
本発明は、フェースプレート、ディスプレイ、入力装置、及び知覚可能な位置確認構造を含む移動通信装置を提供する。フェースプレートは、フェースプレート面を有する。ディスプレイは、ユーザにコンテンツを供給するためにフェースプレート面にある又は付近にある。入力装置は、ユーザからの入力を受け取るためにディスプレイに近接する。知覚可能な位置確認構造は、フェースプレートにより担持され、入力装置に対し固定相対位置に位置付けられる。知覚可能な位置確認構造は、接触を介して入力装置に対する位置フィードバックをユーザに供給するよう構成される。
【０００５】
本発明の一実施形態では、知覚可能な位置確認構造は、入力装置に対する長手位置フィードバックをユーザに供給するよう構成されるメイン要素を含む。
【０００６】
本発明の一実施形態では、移動通信装置はさらに光源を含む。メイン要素は、フェースプレート面における溝と、溝において位置付けられる透明部とを含む。光源は、透明部を介して知覚可能な位置確認構造を照明するようフェースプレートの下に位置付けられる。
【０００７】
本発明の一実施形態では、知覚可能な位置確認構造は、メイン要素において又は付近に位置付けられる複数のガイド要素をさらに含み、２つの隣接するガイド要素間の距離は、メイン要素に沿って変化する。
【０００８】
本発明はさらに、筐体、ディスプレイ、入力装置、及び知覚可能な位置確認構造を含む電子装置を提供する。筐体は、表面を有する。ディスプレイ及び入力装置は共に筐体により担持され、ディスプレイは、入力装置の付近にある。知覚可能な位置確認構造は、ディスプレイ及び入力装置に対し固定位置にある。知覚可能な位置確認構造は、筐体の表面において不連続部を有する。その不連続部は、表面を第１の表面部と第２の表面部に分割する。
【０００９】
本発明の一実施形態では、第１の表面部及び第２の表面部のうち少なくとも１つと、不連続部は、略連続的曲面を形成する。
【００１０】
本発明はさらに、フェースプレート及びフェースプレートにおける知覚可能な位置確認構造を有する電子装置を操作する方法を提供する。この方法は少なくとも以下の工程を有する。まず、指がフェースプレート全面で動かされる。次に、フェースプレートにおける知覚可能な位置確認構造が感知される。次に、電子装置の入力装置に対する指の位置が、入力装置に対する知覚可能な位置確認構造の位置に基づいて特定される。その後、特定された相対位置に基づいて入力装置に向けて指を動かす。
【００１１】
本発明の一実施形態では、知覚可能な位置確認構造は、フェースプレートにおける不連続部を含む。知覚可能な位置確認構造を感知する工程は、フェースプレートにおける不連続部を認識することを含む。
【００１２】
本発明の一実施形態では、フェースプレートは、曲線フェースプレート面を有し、また、本発明の方法はさらに、フェースプレートにおける曲率変化を感知することと、感知された曲率に基づいて指の位置を決定することとを含む。
【００１３】
本発明はさらに、移動通信装置用のフェースプレートを提供する。フェースプレートは、フェースプレート面、第１のフェースプレート部、第２のフェースプレート部、及び知覚可能な位置確認構造を含む。第１のフェースプレート部は、ディスプレイを受容する。第２のフェースプレート部は、第１のフェースプレート部に近接し、ユーザからの入力を受け取るよう構成される入力装置を受容する。知覚可能な位置確認構造は、フェースプレート面にあり、また、第１のフェースプレート部と第２のフェースプレート部との間に位置付けられる。知覚可能な位置確認構造は、接触を介して入力装置に対する位置フィードバックをユーザに供給するよう構成される。
【００１４】
本発明では、知覚可能な位置確認構造が、移動通信／計算装置といった電子装置内に導入される。ユーザが、その電子装置を関連付けられる操作方法で操作すると、知覚可能な位置確認構造は、接触を介して入力装置に対する位置フィードバックをユーザに供給することが可能である。したがって、移動通信／計算装置の全体的な使い勝手のよさを向上することが可能である。
【発明を実施するための最良の形態】
【００１５】
Ａ．概要
本開示は、電子装置用の知覚可能な位置確認構造と関連付けられる方法を説明する。以下に記載する幾つかの詳細は、当業者が開示した実施形態を製造及び使用可能にするのに十分なように次の実施形態を説明するよう提供することは理解されよう。しかし、以下に説明する詳細及び利点のうち幾つかは、本発明の特定の実施形態を実施するのに必ずしも必要なわけではない。さらに、本発明は、請求項の範囲内であるが図１−６に関連して詳細に説明しない他の実施形態を包含することが可能である。
【００１６】
Ｂ．知覚可能な位置確認構造を有する電子装置
図１Ａは、知覚可能な位置確認構造を有し、本発明の一実施形態に従って構成される電子装置１００の正面図である。電子装置１００は、筐体１０１と、筐体１０１により担持されるまたは筐体１０１に取り付けられる様々な電子的及び／または機械的構成要素を含むことが可能である。たとえば、電子装置１００は、筐体１０１内及び／または上に位置付けられる様々な計算構成要素（図示せず）を含むことが可能である。計算構成要素は、ＰＤＡ装置、セルラ電話機、ラップトップコンピュータ、タブレットＰＣ、スマートフォン、ハンドヘルド式電子メール装置、または他の移動通信／計算装置において一般的に備え付けられる計算構成要素であることが可能である。一実施形態では、電子装置１００は、電子メール装置であるか、または、電子メールを送受信するよう使用されることが可能である。
【００１７】
電子装置１００はさらに、第１の端部１０５ａ及び第２の端部１０５ｂを有するフェースプレート１０４、ディスプレイ１０６（たとえば、液晶ディスプレイ）を受容する第１の開口部１０７、第１の端部１０５ａに近接する受信器１０８、マイクロホン１１０、及び第２の端部１０５ｂに近接し、キーボード（またはダイアルキーパッド）１１２を受容する第２の開口部１０９及び／又は他のタイプの電子的及び／又は機械的構成要素を含むことが可能である。フェースプレート１０４は、長さＬ及び幅Ｗの略プレートの形状を有することが可能である。キーボード１１２は、ＱＷＥＲＴＹキーボード、ＱＷＥＲＴＺキーボード、ＡＺＥＲＴＹキーボード、ＤＶＯＲＡＫキーボード、タッチパッド、手書きタブレット、及び／又は他のタイプの入力装置を含むことが可能である。
【００１８】
電子装置１００はさらに、フェースプレート１０４上に位置付けられる又はフェースプレート１０４に少なくとも部分的に組み込まれる知覚可能な位置確認構造１０２を含むことが可能である。この知覚可能な位置確認構造１０２は、メイン要素１１４、複数のオプションガイド要素１１６、及び、メイン要素１１４に近接するオプション入力要素１１８を含むことが可能である。メイン要素１１４は、フェースプレート１０４における凹部及び／又は凸部を含むことが可能である。図示する実施形態では、メイン要素１１４は、略直線構造を有する凹部を含む。メイン要素１１４は、フェースプレート１０４の全幅Ｗを横断する。別の実施形態では、メイン要素１１４は、フェースプレート１０４の幅Ｗの一部だけを横断することが可能である。更なる実施形態では、知覚可能な位置確認構造１０２は、図２Ａ−６を参照して以下により詳細に説明するように他の構成を有することが可能である。
【００１９】
これらの実施形態のうちのいずれにおいてもメイン要素１１４は、ユーザの指に略対応するよう構成可能である。たとえば、メイン要素１１４は、ユーザの指の少なくとも一部を受容するようなサイズにされ、また、そのように形作られる凹部を含むことが可能である。メイン要素１１４は、ユーザの指がメイン要素１１４に亘って又はメイン要素１１４に沿って移動する際にユーザの指を収容するよう曲線、段差、及び／又は他の移行部特徴も含むことが可能である。
【００２０】
ガイド要素１１６は、メイン要素１１４を略またがることが可能である。個々のガイド要素１１６は、メイン要素１１４に沿っての横断位置を示すようメイン要素１１４の凹部及び／又は凸部とは異なる凹部及び／又は凸部を含むことが可能である。図示する実施形態では、ガイド要素１１６は、非均等に間隔があけられる。たとえば、２つの隣接するガイド要素１１６間の距離は、入力要素１１８に向かって大きくなる又は小さくなることが可能である。別の実施形態では、他の実施形態では、ガイド要素１１６は、略均等に間隔があけられることが可能である。更なる実施形態では、ガイド要素１１６の一部は、略均等に間隔があけられ、また、別の部分は、略不均等に間隔があけられることが可能である。
【００２１】
入力要素１１８は、スクロールホイール（たとえば、トラックボール、ジョグホイールなど）、方向キーパッド（たとえば、５方向キー）、押しボタン、バイオメトリックリーダ、及び／又は他のタイプの入力装置を含むことが可能である。図示する実施形態では、入力要素１１８は、略円形形状を有し、メイン要素１１４の略中心に位置付けられる。別の実施形態では、入力要素１１８は、他の形状を有し、また、メイン要素１１４に沿って又はメイン要素１１４から間隔があけられた他の場所に位置付けられることが可能である。更なる実施形態では、入力要素１１８は省略可能である。
【００２２】
オプションとして、電子装置１００はさらに、知覚可能な位置確認構造１０２に近接して位置付けられる複数の入力装置１２０（個々に１２０ａ−ｄと識別する）を含むことが可能である。入力装置１２０は、機械的及び／又は電気的ボタン、タッチパッド、及び／又は他のタイプの好適な入力メカニズムを含むことが可能である。入力装置１２０は、異なる機能を有するサブセットにグループ分けすることができる。たとえば、第１及び第２の入力装置１２０ａ、ｂは、ディスプレイ１０６上の現在のコンテンツに対応する「ソフト」キーとして構成可能である。第３及び第４の入力装置１２０ｃ、ｄは、ディスプレイ１０６上の現在のコンテンツに関係のない専用の機能（たとえば、電源投入、電話をかけるなど）を有するよう構成可能である。図１Ａには、４つの入力装置１２０を示すが、他の実施形態では、電子装置１００は、任意の数の入力装置１２０を含むことも、また、入力装置１２０は省略されることも可能である。
【００２３】
図１Ｂは、図１Ａの電子装置１００の一部の拡大及び部分的に切り取られた斜視図である。図示する実施形態では、知覚可能な位置確認構造１０２のメイン要素１１４は、フェースプレート１０４における第１の凹部１２２を含む。第１の凹部１２２は、略矩形の断面を有し、第１の軸Ａに沿ってフェースプレート１０４を横方向に亘って延在する。ガイド要素１１６は、フェースプレート１０４における複数の第２の凹部１２４を含む。個々の第２の凹部１２４は、略矩形の断面を有し、第１の軸Ａの略法線である第２の軸Ｂに沿って第１の凹部１２２から離れるように延在する。第２の凹部１２４は、第１の凹部１２２の深さと略同様である深さを有することが可能である。第１の凹部１２２及び第２の凹部１２４は、ミリング、エッチング、ドリリング、及び／又は他の好適なメカニズムにより形成可能である。別の実施形態では、メイン要素１１４及びガイド要素１１６は、別の構成を有することが可能である。たとえば、ガイド要素１１６は、第１の軸Ａに対して斜めの方向に沿って延在することが可能である。ガイド要素１１６はさらに、第１の凹部１２２とは異なる深さを有することが可能である。一部の実施形態では、ガイド要素１１６は、フェースプレート１０４上に凹部ではなく凸部を含むことが可能である。
【００２４】
図１Ｃは、図１Ａの電子装置１００の拡大及び部分的に切り取られた断面図である。図示する実施形態では、フェースプレート１０４は、略平らなフェースプレート面１２８を有し、知覚可能な位置確認構造１０２は、そのフェースプレート面１２８に不連続部を形成する。電子装置１００はさらに、フェースプレート１０４の下で、且つ、知覚可能な位置確認構造１０２及び知覚可能な位置確認構造１０２におけるオプションの透明部１２７に近接して位置付けられる光源１２６を含む。光源１２６は、少なくとも発光ダイオード、白熱電球、及び／又は他の照明装置を含むことが可能である。透明部１２７は、プラスチック、ゴム、又は他の好適な透明材料から構成されるストリップ又はフィルムを含むことが可能である。動作時、光源１２６は、透明部１２７を介して知覚可能な位置確認構造１０２を照明可能である。他の実施形態では、光源１２６及び／又は透明部１２７は省略することができる。
【００２５】
図１Ａ−１Ｃをまとめて参照するに、知覚可能な位置確認構造１０２は、ユーザを、所望の入力装置１２０及び／又はキーボード１１２に、接触を介して、また、ユーザがこれらの構成要素を見ることなく案内することが可能である。動作時、ユーザは、自分の指１０をフェースプレート１０４上で（たとえば、長手方向、横断方向、又はそれらの組み合わせで）動かすことが可能である。次に、ユーザは、フェースプレート面１２８における不連続部を認識することにより知覚可能な位置確認構造１０２を感知することが可能である。次に、知覚可能な位置確認構造１０２は、ユーザに、入力装置１２０及び／又はキーボード１１２に対する指１０の長手位置を、これらの構成要素に対する知覚可能な位置確認構造１０２の位置に基づいて供給可能である。特定の実施形態では、ユーザは、オプションのガイド要素１１６を認識することにより指１０の横位置も特定することが可能である。次に、ユーザは、特定された相対位置に基づいて、指１０を所望の入力装置１２０及び／又はキーボード１１２のキーに向けて移動することができる。この処理全体を通して、ユーザは、入力装置１２０及び／又はキーボード１１２を見ることなく電子装置１００を操作することが可能である。
【００２６】
知覚可能な位置確認構造１０２は、電子装置１００の操作におけるユーザ経験を改善することが可能である。知覚可能な位置確認構造１０２は、ユーザの視線をディスプレイ１０６から入力装置１２０及び／又はキーボード１１２に移すことなく電子装置１００を直観的に操作するようユーザを支援することが可能である。
【００２７】
この知覚可能な位置確認構造１０２は、入力装置の不注意による選択及び／又は作動を減らすことに役立つことが可能である。従来の電子装置は、典型的に、密接して設置された入力キーによって不注意に選択及び／又は作動してしまう傾向がある。知覚可能な位置確認構造１０２は、不注意による選択及び／又は作動のリスクが低減されるよう異なる制御機能を有する入力装置を分離する及び／又はそうでなければ特定することが可能である。
【００２８】
知覚可能な位置確認構造１０２は、入力装置１２０のマッピングを向上することが可能である。このようなマッピングは、特定の入力装置の一般的な機能をユーザに示すことが可能である。たとえば、ソフトキーとして設定される入力装置は知覚可能な位置確認構造１０２の片側に位置付けされ、専用機能を有するよう設定される他の入力装置はもう片側に位置付けられることが可能である。
【００２９】
電子装置１００は、図１Ａでは、単一部品として図示するが、他の実施形態では、電子装置１００は、ヒンジ、トラック、又は他の相互接続機構により互いに結合される少なくとも２つの部分を有することが可能である。たとえば、図１Ｄは、旋回可能及び／又は摺動可能な装置として構成される電子装置１００の実施形態を示す。電子装置１００は、電子装置１００の第１の部分１０３ａに受信器１０８とディスプレイ１０６を、第２の部分１０３ｂにキーボード１１２を有する。第１の部分１０３ａ及び第２の部分１０３ｂは、互いに対し旋回及び／又は摺動可能である。たとえば、電子装置１００が閉じられている場合、第１の部分１０３ａ及び第２の部分１０３ｂは、互いに略重なり合うことが可能である。電子装置１００が開いている場合、第１の部分１０３ａ及び第２の部分１０３ｂは、互いにオフセットである及び／又は互いに対して斜めであることが可能である。一部の実施形態では、知覚可能な位置確認構造１０２は、フェースプレート１０４の他の場所に位置付け可能である。たとえば、知覚可能な位置確認構造１０２は、第１の部分１０３ａにおいて、又は、第２の部分１０３ｂにおいて且つフェースプレート１０４の第２の端部１０５ｂの付近において位置付け可能である。更なる実施形態では、キーボード１１２は省略可能であり、また、電子装置１００は、ディスプレイ１０６を介してアクセス可能な「ソフト」キーボードを含むことが可能である。更なる実施形態では、第１の部分１０３ａはさらに、図１Ｅに示すように電子装置１００の第１の部分上に位置付けられるダイアリングキーパッド１１３を含むことが可能である。
【００３０】
Ｃ．知覚可能な位置確認構造の実施形態
図２Ａ−Ｉは、図１の知覚可能な位置確認構造１０２の幾つかの追加の実施形態の拡大及び部分的に切り取られた断面図である。知覚可能な位置確認構造１０２は、任意の所望の断面構成を有するメイン要素１１４を有することが可能である。たとえば、メイン要素１１４は、図２Ａに示すような三角形の断面、図２Ｂに示すような曲線断面（たとえば、半円、長円形、放物形）、又は特定用途のための任意の他の断面構成を有することが可能である。
【００３１】
図２Ａ、２Ｂに示す実施形態では、フェースプレート１０４は、知覚可能な位置確認構造１０２に近接する略平らなフェースプレート面１２８を有する。他の実施形態では、フェースプレート１０４は、知覚可能な位置確認構造１０２に近接する曲線フェースプレート面１２８を有することが可能である。たとえば、フェースプレート面１２８と、知覚可能な位置確認構造１０２のメイン要素１１４は、図２Ｃに示すような曲線底部、又は、図２Ｄに示すような平らな底部を有する略凹面形状を形成可能である。フェースプレート面１２８と、メイン要素１１４はさらに、図２Ｅに示すような曲線上部、又は、図２Ｆに示すような平らな上部を有する略凸面形状を形成可能である。
【００３２】
曲線フェースプレート面１２８を有する電子装置１００は、ユーザに追加の位置フィードバックを供給可能である。たとえば、フェースプレート面１２８は、メイン要素１１４に向かって長手方向及び／又は横方向に徐々に変化する曲率を有することが可能である。動作時、ユーザが指をフェースプレート１０４上で動かすと、フェースプレート１０４の曲率は、ユーザに、特定の位置（たとえば、メイン要素１１４）へのユーザの指の近さを示すことが可能である。別の期待される利点は、曲線フェースプレート面１２８は、フェースプレート１０４の有用表面面積を増加することが可能であるという点である。その結果、追加の制御及び／又は他のナビゲーション機能をフェースプレート１０４上に位置付けることが可能である。
【００３３】
図２Ａ−Ｆに示す実施形態のいずれにおいても、フェースプレート面１２８は、知覚可能な位置確認構造１０２に対して略左右対称の構造を有する。他の実施形態では、フェースプレート面１２８は、知覚可能な位置確認構造１０２に対して左右非対称であることが可能である。たとえば、知覚可能な位置確認構造１０２は、フェースプレート面１２８を第１の面部分１２８ａ及び第２の面部分１２８ｂに分けることが可能である。一実施形態では、図２Ｇに示すように、第１の面部１２８ａは曲線であり、第２の面部１２８ｂは略平らであることが可能である。別の実施形態では、図２Ｈに示すように、第１の面部１２８ａは略平らであり、第２の面部１２８ｂは曲線であることが可能である。更なる実施形態では、図２Ｉに示すように、第１の面部１２８ａ及び第２の面部１２８ｂは共に、略平らであるが、互いにオフセットであることが可能である。
【００３４】
Ｃ．知覚可能な位置確認構造の追加の実施形態
図３−６は、図１Ａ−Ｃの電子装置１００の追加の実施形態を示す。これらの実施形態において、図３−６に示す電子装置の幾つかの構成要素は、図１Ａ−Ｃを参照して上述した電子装置１００の対応構成要素と少なくとも略同様である。したがって、図３−６に示す電子装置１００の動作及び構造における選択された違いを以下に説明する。同様の参照記号は、一般的に、図１−６における同様の特徴及び構成要素を示す。
【００３５】
図３−６に示すように、知覚可能な位置確認構造１０２は、フェースプレート１０４に対して様々な横断構成を有することが可能である。一実施形態では、知覚可能な位置確認構造１０２は、図３に示すように、フェースプレート１０４の横方向に亘って略凹曲面を形成することが可能である。別の実施形態では、知覚可能な位置確認構造１０２は、図４に示すように略凸曲面を形成することが可能である。知覚可能な位置確認構造１０２はさらに、中心線１３０及び／又はオプションの入力要素１１８に沿って第１の構造部１０２ａと第２の構造部１０２ｂに分割されることが可能である。図５及び図６に示すように、一部の実施形態では、個々の第１の構造部１０２ａ及び第２の構造部１０２ｂは、略直線を形成し、また、互いに対し傾斜されることが可能である。
【００３６】
上述から、本発明の特定の実施形態を説明目的で記載したが、本発明から逸脱することなく様々な修正を行いうることは理解されよう。たとえば、知覚可能な位置確認構造１０２は、フェースプレート１０４に対し横方向の可変幅を有することが可能である。電子装置は、１つ以上の知覚可能な位置確認構造を含むことが可能である。電子装置はさらに、予備電池室、無線受信器、及び送信器といった筐体１０１に取り付けられる追加の構成要素を含むことも可能である。特定の実施形態の文脈において説明した本発明の特定の特徴は、他の実施形態において組み合わされても又は排除されてもよい。たとえば、知覚可能な位置確認構造１０２の様々な断面構成は、特定の実施形態においてフェースプレート１０４の異なる構成と組み合わせ可能である。さらに、本発明の特定の実施形態に関連付けられる利点を、これらの実施形態の文脈において説明したが、他の実施形態もそのような利点を示す場合があり、また、本発明の範囲内に包含されるためにすべての実施形態が必ずそのような利点を示す必要もない。したがって、本発明は、請求項に記載される以外は制限されない。
【図面の簡単な説明】
【００３７】
【図１Ａ】知覚可能な位置確認構造を有し、本発明の一実施形態に従って構成される電子装置を示す正面図である。
【００３８】
【図１Ｂ】図１Ａの電子装置を示す拡大及び部分的に切り取られた斜視図である。
【００３９】
【図１Ｃ】図１Ａの電子装置を示す拡大及び部分的に切り取られた断面図である。
【００４０】
【図１Ｄ】知覚可能な位置確認構造を有し、本発明の別の実施形態に従って構成される電子装置を示す正面図である。
【００４１】
【図１Ｅ】知覚可能な位置確認構造を有し、本発明の更なる実施形態に従って構成される電子装置を示す正面図である。
【００４２】
【図２Ａ】図１の電子装置に使用するのに適した知覚可能な位置確認構造の実施形態を示す拡大及び部分的に切り取られた断面図である。
【００４３】
【図２Ｂ】図１の電子装置に使用するのに適した知覚可能な位置確認構造の実施形態を示す拡大及び部分的に切り取られた断面図である。
【００４４】
【図２Ｃ】図１の電子装置に使用するのに適した知覚可能な位置確認構造の実施形態を示す拡大及び部分的に切り取られた断面図である。
【００４５】
【図２Ｄ】図１の電子装置に使用するのに適した知覚可能な位置確認構造の実施形態を示す拡大及び部分的に切り取られた断面図である。
【００４６】
【図２Ｅ】図１の電子装置に使用するのに適した知覚可能な位置確認構造の実施形態を示す拡大及び部分的に切り取られた断面図である。
【００４７】
【図２Ｆ】図１の電子装置に使用するのに適した知覚可能な位置確認構造の実施形態を示す拡大及び部分的に切り取られた断面図である。
【００４８】
【図２Ｇ】図１の電子装置に使用するのに適した知覚可能な位置確認構造の実施形態を示す拡大及び部分的に切り取られた断面図である。
【００４９】
【図２Ｈ】図１の電子装置に使用するのに適した知覚可能な位置確認構造の実施形態を示す拡大及び部分的に切り取られた断面図である。
【００５０】
【図２Ｉ】図１の電子装置に使用するのに適した知覚可能な位置確認構造の実施形態を示す拡大及び部分的に切り取られた断面図である。
【００５１】
【図３】凹面の知覚可能な位置確認構造を有し、本発明の別の実施形態に従って構成される電子装置を示す正面図である。
【００５２】
【図４】凸面の知覚可能な位置確認構造を有し、本発明の別の実施形態に従って構成される電子装置を示す正面図である。
【００５３】
【図５】角度が付けられた知覚可能な位置確認構造を有し、本発明の別の実施形態に従って構成される電子装置を示す正面図である。
【００５４】
【図６】角度が付けられた知覚可能な位置確認構造を有し、本発明の別の実施形態に従って構成される電子装置を示す正面図である。
【符号の説明】
【００５５】
１０  ユーザの指
１００  電子装置
１０１  筐体
１０２  知覚可能な位置確認構造
１０４  フェースプレート
１０５ａ  フェースプレートの第１の端部
１０５ｂ  フェースプレートの第２の端部
１０６  ディスプレイ
１０７  第１の開口部
１０８  受信器
１０９  第２の開口部
１１０  マイクロホン
１１２  キーボード
１１３  ダイアリングキーパッド
１１４  メイン要素
１１６  ガイド要素
１１８  入力要素
１２０ａ−ｄ  入力装置
１２２  第１の凹部
１２４  第２の凹部
１２６  光源
１２７  透明部
１２８  フェースプレート面
【図１Ａ】
2008262532.tif 000002
【図１Ｂ】
2008262532.tif 000003
【図１Ｃ】
2008262532.tif 000004
【図１Ｄ】
2008262532.tif 000005
【図１Ｅ】
2008262532.tif 000006
【図２Ａ】
2008262532.tif 000007
【図２Ｂ】
2008262532.tif 000008
【図２Ｃ】
2008262532.tif 000009
【図２Ｄ】
2008262532.tif 000010
【図２Ｅ】
2008262532.tif 000011
【図２Ｆ】
2008262532.tif 000012
【図２Ｇ】
2008262532.tif 000013
【図２Ｈ】
2008262532.tif 000014
【図２Ｉ】
2008262532.tif 000015
【図３】
2008262532.tif 000016
【図４】
2008262532.tif 000017
【図５】
2008262532.tif 000018
【図６】
2008262532.tif 000019
【外国語明細書】
2008262532.tif 000020
2008262532.tif 000021
2008262532.tif 000022
2008262532.tif 000023
2008262532.tif 000024
2008262532.tif 000025
2008262532.tif 000026
2008262532.tif 000027
2008262532.tif 000028
2008262532.tif 000029
2008262532.tif 000030
2008262532.tif 000031
2008262532.tif 000032
2008262532.tif 000033
2008262532.tif 000034
2008262532.tif 000035
2008262532.tif 000036
2008262532.tif 000037
2008262532.tif 000038
2008262532.tif 000039
2008262532.tif 000040
2008262532.tif 000041
2008262532.tif 000042
2008262532.tif 000043
2008262532.tif 000044
2008262532.tif 000045
2008262532.tif 000046